(57)【要約】  上ケースに、容器本体閉鎖時の状態において取出口と取出待機部との間に垂れ下がる係止突起が設けられている。下ケースに、容器本体閉鎖時の状態における取出待機部の係止突起に対して反対の側に、上ケースの開放動作の際に前記取出待機部に位置する錠剤を取出口に向けて押圧するためのプッシャ部材が設けられている。係止突起は、上ケースの開放動作の際に、取出待機部に位置する錠剤の側面を乗り越えると共に、取出待機部に位置していた錠剤に後続する錠剤の取出口側の面を係止するようになっている。センサ部が、取出待機部から取出口に移動する１個の錠剤の通過を検出することによって、錠剤の取り出しの有無を検出し、その検出結果はデータ記録部に記録される。
2013176196.tif 000002
【特許請求の範囲】
【請求項１】
複数の錠剤を一括に収容可能な容器本体を形成する上ケース及び下ケースを備え、
前記上ケースが前記下ケースに対して摺動移動することで、容器本体が開閉するようになっており、
前記下ケースには、同時には１個ずつのみ錠剤を取出可能な大きさで取出口が形成されると共に、当該取出口に連通する取出待機部が形成されており、
前記上ケースには、容器本体閉鎖時の状態において前記取出口と前記取出待機部との間に突出する係止突起が設けられており、
前記下ケースには、容器本体閉鎖時の状態における前記取出待機部の前記係止突起に対して反対の側に、上ケースの開放動作の際に前記取出待機部に位置する錠剤を取出口に向けて押圧するためのプッシャ部材が設けられており、
前記係止突起は、上ケースの開放動作の際に、当該係止突起の変形ないし変位によって、前記取出待機部に位置する錠剤の側面を乗り越えると共に、取出待機部に位置していた錠剤に後続する錠剤の取出口側の面を係止するようになっており、
前記取出待機部から前記取出口に移動する１個の錠剤の通過を検出することによって、当該錠剤の取り出しの有無を検出するセンサ部と、
前記センサ部による検出結果を記録するデータ記録部と、
前記データ記録部のためのバッテリと、
を備えたことを特徴とする錠剤取出管理容器。
【請求項２】
前記係止突起は、前記上ケースから垂れ下がるように設けられている
ことを特徴とする請求項１に記載の錠剤取出管理容器。
【請求項３】
前記係止突起は、前記上ケースから延びる撓み変形部と、当該撓み変形部を押圧する方向にスライド移動可能なスライド移動部と、を有している
ことを特徴とする請求項１に記載の錠剤取出管理容器。
【請求項４】
前記センサ部は、錠剤の通過を、当該錠剤の通過により変形または変位する導電体と電気端子との導通によって検出するように構成されている
ことを特徴とする請求項１乃至３のいずれかに記載の錠剤取出管理容器。
【請求項５】
前記データ記録部は、前記センサ部による検出結果を時間データと共に記録するタイムロガーである
ことを特徴とする請求項１乃至４のいずれかに記載の錠剤取出管理容器。
【請求項６】
前記上ケース及び前記下ケースは、平面視で長方形の形状を有しており、
前記上ケースは、前記下ケースに対して、前記長方形の形状の長手方向に摺動移動するようになっており
前記取出口は、前記長方形の形状の角部近傍に形成されている
ことを特徴とする請求項１乃至５のいずれかに記載の錠剤取出管理容器。
【請求項７】
前記下ケースには、前記プッシャ部材を迂回して前記取出待機部まで錠剤を案内するための錠剤案内レールが形成されている
ことを特徴とする請求項６に記載の錠剤取出管理容器。
【請求項８】
前記上ケースが前記下ケースに対して摺動移動することを妨げるＣＲＳＦ機構が設けられている
ことを特徴とする請求項１乃至７のいずれかに記載の錠剤取出管理容器。
【請求項９】
前記ＣＲＳＦ機構は、
前記上ケース及び前記下ケースの一方に設けられて前記上ケース及び前記下ケースの他方に向けて突出する爪部と、
前記上ケース及び前記下ケースの他方に設けられて前記爪部と係合するようになっている爪受部と、
前記爪部及び前記爪受部の一方に接続されていて、前記爪部及び前記爪受部の一方を前記爪部及び前記爪受部の他方から遠ざけて両者の係合を解除するように変形可能な弾性部と、
を有することを特徴とする請求項８に記載の錠剤取出管理容器。
【発明の詳細な説明】
【技術分野】
【０００１】
本発明は、複数の錠剤を一括に収容可能な錠剤容器に関する。
【背景技術】
【０００２】
医薬品として、各種の錠剤（本明細書においてはカプセル剤も含む表現である）が利用されている。錠剤には、薬局等で市販されているものもあれば、病院等で処方されるものもある。【０００３】
病院等で処方される錠剤は、指示された服用(薬剤によっては服用時間まで)を遵守することによってこそ、薬効が期待されるものである。しかし、錠剤の服用遵守率（コンプライアンス）は、薬剤領域による違いこそあれ、全般的に低いことが、近年の欧米での調査により明らかとなった。平均的なコンプライアンスは、欧米などの先進国でも５０％程度、開発途上国では３０％台であった。日本国内については、科学的根拠を持ったデータがないが、４０〜５０%と言われている。【０００４】
患者に服用時間を遵守させることは、医療の現場において、喫緊かつ重大な問題であると認識されてはいる。しかしながら、従来においては効果的な方策がなく、インフォームドコンセントによって患者意識を向上させる以外、有効な対応策が整っていなかった。【０００５】
最近になって、ようやく、「ＰＴＰ（Ｐｒｅｓｓ−Ｔｈｒｏｕｇｈ  Ｐａｃｋａｇｅ）包装：錠剤個別包装」の機能を改善させることで、患者コンプライアンスを向上しようとする試みが始まった。欧米ではその成果が確認され、その商材の日本国内への展開も始まった。代表的なものが、ＭＷＶ社（ＵＳＡ）のＰＴＰカード包装（アドヘレンス包装（ａｄｈｅｒｅｎｃｅ≒ｃｏｍｐｌｉａｎｃｅ）と命名されている）であり、米国市場で数億ケースの販売実績がある。【０００６】
また、ＰＴＰ包装に電子デバイスを搭載して、服薬情報を記録する機能を実現した包装（モニタリング包装と呼ばれている）もある。Ｃｙｐａｋ社（Ｓｗｅｄ．)、ＳｔｒａＥｎｓｏ社（Ｓｗｅｄ．）、Ｃｏｎｆｒｅｒｉｅ社（Ｓｗｉｔｚ．）などが実際に商品を展開している。これらのモニタリング包装は、薬剤の取り出し時間を自動記録する機能を有しており、更に患者への服薬時間のお知らせ機能や、患者への質問機能（ｐａｉｎ  ｃｏｎｔｒｏｌ等に効果的）などを付与することも可能である。【０００７】
先行技術文献としては、特開２００９−１０２０６４号公報が挙げられる。
【発明の要旨】
【０００８】
しかしながら、ＭＷＶ社のアドヘレンス包装やＣｏｎｆｒｅｒｉｅ社のモニタリング包装等、「ＰＴＰ（Ｐｒｅｓｓ−Ｔｈｒｏｕｇｈ  Ｐａｃｋａｇｅ）包装」を改善した包装は、コストが高い。
【０００９】
本発明は、以上のような状況に鑑みて創案されたものである。本発明の目的は、複数の錠剤を一括に収容可能な錠剤容器であって、比較的低コストで製造可能で、且つ、錠剤取出に関する情報を自動管理することができる錠剤取出管理容器を提供することである。
【００１０】
本発明は、複数の錠剤を一括に収容可能な容器本体を形成する上ケース及び下ケースを備え、前記上ケースが前記下ケースに対して摺動移動することで、容器本体が開閉するようになっており、前記下ケースには、同時には１個ずつのみ錠剤を取出可能な大きさで取出口が形成されると共に、当該取出口に連通する取出待機部が形成されており、前記上ケースには、容器本体閉鎖時の状態において前記取出口と前記取出待機部との間に係止突起が設けられており、前記下ケースには、容器本体閉鎖時の状態における前記取出待機部の前記係止突起に対して反対の側に、上ケースの開放動作の際に前記取出待機部に位置する錠剤を取出口に向けて押圧するためのプッシャ部材が設けられており、前記係止突起は、上ケースの開放動作の際に、当該上ケースまたは当該係止突起の変形ないし変位によって、前記取出待機部に位置する錠剤の側面を乗り越えると共に、取出待機部に位置していた錠剤に後続する錠剤の取出口側の面を係止するようになっており、前記取出待機部から前記取出口に移動する１個の錠剤の通過を検出することによって、当該錠剤の取り出しの有無を検出するセンサ部と、前記センサ部による検出結果を記録するデータ記録部と、前記データ記録部のためのバッテリと、を備えたことを特徴とする錠剤取出管理容器である。
【００１１】
本発明によれば、錠剤の取り出しの有無を検出するセンサ部と、センサ部による検出結果を記録するデータ記録部と、を備えたことにより、錠剤の取り出しに関する情報を自動管理することができる。また、複数の錠剤を一括に収容可能な容器本体を備えたことにより、比較的低コストで製造可能であり、繰り返して使用することも容易である。
【００１２】
そして、本発明によれば、上ケースの開放動作の際に、当該上ケースまたは当該係止突起の撓み変形によって、前記係止突起が前記取出待機部に位置する錠剤の側面を乗り越えると共に、取出待機部に位置していた錠剤に後続する錠剤の取出口側の面を係止するが、前記プッシャ部材が前記取出待機部に位置していた錠剤を取出口に向けて押圧していたために、当該押圧力によって当該取出待機部に位置していた錠剤が１個だけ取出口から取り出されることとなる。
【００１３】
このような錠剤取出原理のために、１回の上ケースの開放動作で取り出される錠剤の数を、より確実に常に１個とすることができ、錠剤取出に関する情報を錠剤服用に関する情報により確実に置き換えることができる。
【００１４】
また、本発明による錠剤取出原理によれば、ケースの側面に取出口を形成することができ、すなわち、ケースの側面から錠剤を取り出すことができ、利用者の利便性という点でも顕著に優れる。
【００１５】
前記係止突起は、例えば、上ケースから垂れ下がるように設けられる。あるいは、前記係止突起は、上ケースから延びる撓み変形部と、当該撓み変形部を押圧する方向にスライド移動可能なスライド移動部と、を有するように形成されてもよい。この場合、撓み変形部とスライド移動部とは、互いに当接可能な分離した別部材として構成されていてもよいし、互いの端部等において結合された一部材として構成されていてもよい。
【００１６】
前記センサ部は、例えば、錠剤の通過を、当該錠剤の通過により変形または変位する導電体と電気端子との導通によって検出するように構成されている。この場合、低コストかつコンパクトにセンサ部が実装できる。具体的には、安価であるが高性能な市販のスイッチ素子を適用することができる。また、当該導通時にのみ電力が消費されるような構成を採用することができるため、バッテリの電力消費を抑えることもできる。
【００１７】
前記データ記録部は、好ましくは、前記センサ部による検出結果を時間データと共に記録するタイムロガーである。この場合、錠剤取出の時間データを自動的に記録することができる。
【００１８】
また、好ましくは、前記上ケース及び前記下ケースは、平面視で長方形の形状を有しており、前記上ケースは、前記下ケースに対して、前記長方形の形状の長手方向に摺動移動するようになっており、前記取出口は、前記長方形の形状の角部近傍に形成されている。このような形態は、錠剤取出容器として一般的であり、利用者の利便性という点で好適である。更にこの場合、前記下ケースに、前記プッシャ部材を迂回して前記取出待機部まで錠剤を案内するための錠剤案内レールが形成されていることが好ましい。そのような態様が採用される場合、錠剤の容器本体内での円滑な案内が促されるため、容器本体を振る等して錠剤の移動を調整する作業（手間）が軽減できる。
【００１９】
また、好ましくは、前記下ケースには、上ケース側に立ち上がるリブが摺動方向に延びるように形成されている。あるいは、好ましくは、前記上ケースには、下ケース側に垂れ下がるリブが摺動方向に延びるように形成されている。これらの場合、上ケースが過剰に撓んで変形してしまうことが効果的に防止される。このため、容器寿命を長くすることができる。リブの代わりに、リブと同様の機能を発揮するような、複数の不連続の突起部（ボス）が設けられてもよい。
【００２０】
また、好ましくは、前記上ケースが前記下ケースに対して摺動移動することを妨げるＣＲ機構が設けられている。ＣＲ機構とは、Ｃｈｉｌｄ  Ｒｅｓｉｓｔａｎｃｅ（小児誤飲）機能を司る機構を意味する。欧米先進国では、法規制を伴った使用義務対象の機構である。
【００２１】
具体的な例として、例えば、ＣＲ機構は、前記上ケース及び前記下ケースの一方に設けられて前記上ケース及び前記下ケースの他方に向けて突出する爪部と、前記上ケース及び前記下ケースの他方に設けられて前記爪部と係合するようになっている爪受部と、前記爪部及び前記爪受部の一方に接続されていて、前記爪部及び前記爪受部の一方を前記爪部及び前記爪受部の他方から遠ざけて両者の係合を解除するように変形可能な弾性部と、を有する。そのような態様が採用される場合、弾性部が変形していない通常状態においては十分なＣＲ機能を発揮することができる一方、弾性部を変形させることで容易にＣＲ機能を解除することができる。
【図面の簡単な説明】
【００２２】
【図１】本発明の第１の実施の形態の錠剤取出管理容器の構成を示す概略斜視図である。
【図２】図１の錠剤取出容器の開放状態を示す概略斜視図である。
【図３】図１の錠剤取出管理容器の錠剤取出動作（上ケースの開放動作）に伴う錠剤の移動とスイッチ部の状態との関係を説明するための概略図である。
【図４】図１の錠剤取出管理容器のタイムロガーの構成を示す概略平面図である。
【図５】図３のタイムロガーの構成を示す概略側面図である。
【図６】本発明の第２の実施の形態の錠剤取出管理容器の構成を示す概略斜視図である。
【図７】図５の錠剤取出容器の開放状態を示す概略斜視図である。
【図８】図５の錠剤取出管理容器の錠剤取出動作（上ケースの開放動作）に伴う錠剤の移動と導電ワイヤの導通状態との関係を説明するための概略図である。
【図９】本発明の第３の実施の形態の錠剤取出管理容器の構成を示す概略斜視図である。
【図１０】図９の錠剤取出管理容器の縦断面図である。
【発明を実施するための形態】
【００２３】
以下に、添付の図面を参照して、本発明の実施の形態を詳細に説明する。
【００２４】
図１は、本発明の第１の実施の形態の錠剤取出管理容器の構成を示す概略斜視図であり、図２は、図１の錠剤取出管理容器の開放状態を示す概略斜視図である。図１及び図２に示すように、本実施の形態の錠剤取出管理容器１０は、互いにスライドする上ケース１１と下ケース１２とを備えている。当該上ケース１１と下ケース１２とが、複数の錠剤を一括に収容可能な容器本体を形成している。そして、上ケース１１が下ケース１２に対して摺動移動することで、容器本体が開閉するようになっている。
【００２５】
具体的には、図２に示すように、上ケース１１が下ケース１２に対して少しスライド移動した状態で、錠剤取り出しのための取出口１３が露出するようになっている。取出口１３は、同時には１個ずつのみ錠剤を取出可能な大きさで形成されている。
【００２６】
形状について言及すれば、図１及び図２から明らかな通り、本実施の形態の上ケース１１及び下ケース１２は平面視で長方形の形状を有している。上ケース１１は、下ケース１２に対して、当該長方形の形状の長手方向に摺動移動するようになっており、取出口１３は、当該長方形の形状の角部近傍に形成されている。
【００２７】
本実施の形態では、取出口１３に連通する部位が取出待機部１５として機能するようになっている。すなわち、下ケース１２には、取出口１３に連通する取出待機部１５が形成されている。そして、上ケース１１に、容器本体閉鎖時の状態における取出口１３と取出待機部１５との間に垂れ下がる係止突起２３が設けられている。
【００２８】
本実施の形態の係止突起２３は、上ケース１１から垂れ下がる断面長円状の筒部２３ｃと、当該筒部から取出口１３と取出待機部１５との間にまで延びる断面略円弧状の可動係止部２３ｍと、を有している。そして、上ケース１１の開放動作の際に、当該可動係止部２３ｍの撓み変形によって、取出待機部１５に位置する錠剤の側面を乗り越えると共に、取出待機部１５に位置していた錠剤に後続する錠剤の取出口側の面を係止するようになっている。換言すれば、係止突起２３の可動係止部２３ｍはそのような変形性能（弾性）を有している。図３（ａ）乃至図３（ｃ）に、図１及び図２の錠剤取出管理容器１０の係止突起２３が錠剤の側面を乗り越える様子を平面視で示す。
【００２９】
また、本実施の形態では、上ケース１１の上面側に、電子デバイス板２１を収容するための収容凹部１１ｒが形成されている。収容凹部１１ｒは、底面と電子デバイス板２１の側方を囲む４つの側壁とによって構成されている。そして、当該収容凹部１１ｒに、電子デバイス板２１が嵌合されている。
【００３０】
電子デバイス板２１は、その側面において、押圧力を受けると退没するスイッチ部２１ｓが露出しており、該スイッチ部２１ｓは、上ケース１１の収容凹部１１ｒの対応する側壁に設けられた開口窓１１ｗを貫通している。
【００３１】
そして、本実施の形態の係止突起２３は、可動係止部２３ｍの撓み変形に連動して前記スイッチ部２１ｓに押圧力を付与するような押圧作動部２３ｐを有している。一方、容器本体閉鎖時の状態における押圧作動部２３ｐの振動等による誤動作を抑制するために、本実施の形態の係止突起２３には、容器本体閉鎖時の状態において下ケース１２に設けられた断面略円弧状の錠剤案内レール１２ｒの端部と係合する凹部２３ｒが設けられている（図１及び図３参照）。
【００３２】
下ケース１２には、容器本体閉鎖時の状態における取出待機部１５の係止突起２３に対して反対の側に、上ケース１１の開放動作の際に取出待機部１５に位置する錠剤を取出口１３に向けて押圧するためのプッシャ部材２５が設けられている。説明を補足すれば、上ケース１１の開放動作の際、取出待機部１５に位置する錠剤は最初、係止突起２３によって取出口１３から遠ざかる方向に押圧されるが、その押圧力に対抗するように、すなわち、取出待機部１５に位置する錠剤を取出口１３に向けて押圧し返すために、プッシャ部材２５が設けられている。
【００３３】
本実施の形態のプッシャ部材２５は、直線壁状に形成されており、その一端側は下ケース１２の側壁に固定され、その他端側が錠剤を押圧するようになっている。
【００３４】
また、本実施の形態では、下ケース１２に、プッシャ部材２５を迂回して取出待機部１５まで錠剤を案内するための錠剤案内レール２４が形成されている。本実施の形態の錠剤案内レール２４は、プッシャ部材２５から離れた側（プッシャ部材２５を迂回させる機能を必要としない側）において屈曲してケースの幅方向に延びて、上ケース１１の収容凹部１１ｒに対するストッパとして機能するようになっている。また、本実施の形態では、プッシャ部材２５自体も、取出待機部１５まで錠剤を案内する案内レールとしての機能を有している。その他、下ケース１２には、上ケース１１側に立ち上がるリブ２７が摺動方向に延びるように形成されている。
【００３５】
電気デバイス板２１には、さらに、スイッチ部２１ｓの退没動作（被押圧動作）の有無に基づいて錠剤の取り出し（通過）の有無を検出（判断）する回路と、当該検出結果を記録するためのデータ記録部と、が搭載されている。本実施の形態では、錠剤の取り出しの有無の検出結果を時間データと共に記録するタイムロガー３０が搭載されている。図４は、本実施の形態のタイムロガー３０の構成を示す概略平面図であり、図５はその概略側面図である。
【００３６】
図４及び図５に示すように、本実施の形態のタイムロガー３０は、タイマー付ＩＣチップである本体部３１と、当該本体部を電気的に駆動するためのバッテリ３２と、信号送受信のためのアンテナ３３と、入力端子接続部３４と、バッテリ起動のための起動ボタン３５と、を有している。本実施の形態のタイムロガー３０は、更に、本体部３１とアンテナ３３とを保護すると共に、起動ボタン３５の操作のための遊び（厚み）を調整するための保護基材３６を有している。起動ボタン３５の代わりに、絶縁テープを回路内に介在させておいて、ユーザがそれを抜き取るという態様も採用可能である。
【００３７】
次に、本実施の形態の錠剤取出管理容器１０の作用について説明する。
【００３８】
まず、病院等で、患者に錠剤取出管理容器１０が手渡される直前に、当該容器１０の使用方法及び機能について患者に説明が行われる。患者の理解が確認された後、起動ボタン３５が押圧操作されるか、または、絶縁テープがひきぬかれる等して、タイムロガー３０がＯＮ状態とされる。患者は、そのような状態の錠剤取出管理容器１０を持参して帰宅する。  
本実施の形態の錠剤取出管理容器１０は、図１及び図２に示すように扁平で嵩張らないので、携帯性に優れる。そして患者は、予め定められ通知された服用時間毎に、錠剤取出管理容器１０から１個ずつ錠剤を取り出して、服用する。
【００３９】
ここで、患者が錠剤取出管理容器１０から１個ずつ錠剤を取り出すために、まず、下ケース１２の取出口１３が下側となるような姿勢で錠剤取出容器１０が把持される。この際、錠剤案内レール２４とプッシャ部材２５による錠剤案内機能により、１個の錠剤が取出待機部１５に至り、後続の１個の錠剤がそれに続く（図３（ａ）参照）。図３（ａ）乃至図３（ｃ）においては、理解の容易のため、それら２個の錠剤のみが図示されている。取出待機部１５に至った錠剤は、係止突起２３によって係止される（図３（ａ）参照）。
【００４０】
次に、上ケース１１の開放動作が実施される。すなわち、上ケース１１が下ケース１２に対して少しスライド移動される（図３（ｂ）参照）。その際、取出待機部１５に位置していた錠剤が、係止突起２３によって取出口１３から遠ざかる方向に押圧される。しかし、その押圧力に対抗するように、すなわち、取出待機部１５に位置する錠剤を取出口１３に向けて押圧し返すために、プッシャ部材２５が設けられている。このため、取出待機部１５に位置していた錠剤は、しばらくは動かない。
【００４１】
代わりに、係止突起２３の可動係止部２３ｍの方がその変形性能によって撓んで、取出待機部１５に位置していた錠剤の側面を乗り越えようとする。そして、係止突起２３の可動係止部２３ｍが取出待機部１５に位置していた錠剤の取出口１３側の端面から外れた瞬間、すなわち、当該錠剤の係止機能を解除した瞬間、プッシャ部材２５による押圧力によって当該錠剤は取出口１３に向けて飛び出すように移動する。一方、係止突起２３の可動係止部２３ｍは、取出待機部１５に位置していた錠剤に後続する錠剤の取出口側の面を係止する。この状態が図３（ｃ）の状態である。
【００４２】
その後、利用者は、上ケース１１の下ケース１２に対するスライド移動状態を、元に戻す。
【００４３】
これらの一連の錠剤取出操作の中で、スイッチ部２１ｓの状態（導通状態）が変化する。すなわち、図３（ａ）の状態では退没されていなかったスイッチ部２１ｓが、図３（ｂ）の状態では押圧作動部２３ｐからの押圧力を受けて退没するようになる。
【００４４】
より具体的には、図３（ｂ）の状態において、係止突起２３の可動係止部２３ｍの弾性変形に連動して、係止突起２３の押圧作動部２３ｐがスイッチ部２１ｓを押圧する方向に変位する。これによりスイッチ部２１ｓが退没される。この退没動作（被押圧動作）を検出することによって、錠剤の取り出し（通過）の有無を検出することができる。
【００４５】
本実施の形態では、電気デバイス板２１に設けられたタイムロガー３０が、錠剤の取り出しの有無の検出結果を時間データと共に記録する。タイムロガー３０の電気的動作は、バッテリ３２から供給される電力で賄われる。このため、バッテリ３２は、充電可能ないし交換可能となっていることが好ましい。
【００４６】
以上の通り、利用者は、（１）取出口１３が下側となるような姿勢で錠剤取出管理容器１０を把持して、（２）上ケース１１をスライド移動させる、という動作を行うだけで、錠剤を正しく１個だけ取り出すことができる。
【００４７】
特に、本実施の形態によれば、下ケース１２の側面に取出口１３が形成されているため、錠剤取出管理容器１０の側面から錠剤を取り出すことができ、利用者の利便性という点で顕著に優れる。
【００４８】
また、本実施の形態によれば、上ケース１１及び下ケース１２が平面視で長方形の形状を有しており、上ケース１１は下ケース１２に対して当該長方形の形状の長手方向に摺動移動するようになっており、取出口１３は当該長方形の形状の角部近傍に形成されているため、錠剤取出容器として一般的な形状であって、利用者の利便性という点で好適である。
【００４９】
更に、本実施の形態によれば、下ケース１２にプッシャ部材２５を迂回して取出待機部１５まで錠剤を案内するための錠剤案内レール２４が形成されているため、錠剤の容器本体内での円滑な案内が促される。このため、容器本体を振る等して錠剤の移動を調整する作業（手間）が軽減できる。
【００５０】
更に、本実施の形態によれば、プッシャ部材２５自体が錠剤を案内する機能を併せ持っているため、錠剤の容器本体内での円滑な案内が更に促される。
【００５１】
また、本実施の形態によれば、下ケース１１に上ケース１２側に立ち上がるリブ２７が摺動方向に延びるように形成されているため、上ケース１１が過剰に撓んで変形してしまうことが効果的に防止される。このため、容器寿命を長くすることができる。
【００５２】
また、本実施の形態によれば、上ケース１１から下ケース１２側に凹むように形成された収容凹部１１ｒが下ケース１２の錠剤案内レール２４に対してストッパとして機能するため、上ケース１１が下ケース１２から過度にスライドしてしまって内部の錠剤が散乱してしまう、という事態を防止できる。
【００５３】
また、以上の一連の錠剤取出操作において、患者の何らの操作も意図も必要とすることなく、自動的に、錠剤の取り出しの有無の検出結果を時間データと共に記録することができる。これにより、患者の錠剤の取出時間すなわち服用時間を自動的に把握することができる。
【００５４】
患者の次回の来院時に、病院が患者から錠剤取出管理容器１０を回収する。そして、専用のリーダーによりタイムロガー３０の記録がＰＣ上に読み出される。これにより、タイムロガー３０の記録を、その後の服薬指導や効果的な治療法の決定等に有効に活用することができる。
【００５５】
錠剤取出管理容器１０の利用態様は、医薬製品として病院に供される場合と、移し替え容器として供される場合と、の２タイプが考えられる。前者は１回使いきりの使用となるが、後者は病院にて薬剤を装填して患者に手渡され、バッテリの寿命の範囲で繰り返して使用される。後者の移し替え容器の場合、タイムロガー３０の記録がリセットされ、起動ボタン３５が再び押圧されて、タイムロガー３０がＯＦＦ状態とされる。そして、必要に応じて、錠剤取出管理容器１０の本体容器内部が洗浄される。その後、当該錠剤取出管理容器１０は、同様のあるいは別の錠剤処方のために、繰り返し利用されることができる。
【００５６】
次に、図６は、本発明の第２の実施の形態の錠剤取出管理容器の構成を示す概略斜視図であり、図７は、図６の錠剤取出管理容器の開放状態を示す概略斜視図である。図６及び図７に示すように、本実施の形態の錠剤取出管理容器２１０も、互いにスライドする上ケース２１１と下ケース２１２とを備えている。当該上ケース２１１と下ケース２１２とが、複数の錠剤を一括に収容可能な容器本体を形成している。そして、上ケース２１１が下ケース２１２に対して摺動移動することで、容器本体が開閉するようになっている。
【００５７】
また、本実施の形態においても、第１の実施の形態と同様に、上ケース２１１が下ケース２１２に対して少しスライド移動した状態で、錠剤取り出しのための取出口２１３が露出するようになっている。取出口２１３は、同時には１個ずつのみ錠剤を取出可能な大きさで形成されている。
【００５８】
形状についても、第１の実施の形態と同様に、上ケース２１１及び下ケース２１２は平面視で長方形の形状を有しており、上ケース２１１は下ケース２１２に対して当該長方形の形状の長手方向に摺動移動するようになっており、取出口２１３は当該長方形の形状の角部近傍に形成されている。
【００５９】
そして、第１の実施の形態と同様に、取出口２１３に連通する部位が取出待機部２１５として機能するようになっている。すなわち、下ケース２１２には、取出口２１３に連通する取出待機部２１５が形成されている。そして、上ケース２１１に、容器本体閉鎖時の状態における取出口２１３と取出待機部２１５との間に突出する係止突起２２３が設けられている。
【００６０】
本実施の形態の係止突起２２３は、図６に示すように、上ケース２１１に固定されたワイヤ固定部２２３ｆと、当該ワイヤ固定部２２３ｆから延びる撓み変形ワイヤ２２３ｍと、当該撓み変形ワイヤ２２３ｍを押圧する方向にスライド移動可能なスライド移動部２２３ｓと、を有している。スライド移動部２２３ｓの一端側が、容器本体閉鎖時の状態における取出口２１３と取出待機部２１５との間に突出している。
【００６１】
スライド移動部２２３ｓは、上ケース２１１に形成された案内レール２１１ｇと、下ケース２１２に設けられた低壁部２２４ｅとによって、スライド移動の方向を規制されている。そして、上ケース２１１の開放動作の際に、取出待機部２１５に位置する錠剤からの力を受けて撓み変形ワイヤ２２３ｍを撓み変形させながらスライド移動する。これにより、スライド移動部２２３ｓは、取出待機部２１５に位置する錠剤の側面を乗り越えると共に、取出待機部２１５に位置していた錠剤に後続する錠剤の取出口側の面を係止するようになっている。換言すれば、係止突起２２３の撓み変形ワイヤ２２３ｍはそのような変形性能（弾性）を有している。図８（ａ）乃至図８（ｃ）に、図６及び図７の錠剤取出管理容器２１０の係止突起２２３が錠剤の側面を乗り越える様子を平面視で示す。
【００６２】
また、本実施の形態では、上ケース２１１の上面側に、電子デバイス板２２１を収容するための収容凹部２１１ｒが形成されている。収容凹部２１１ｒは、底面と電子デバイス板２２１の側方を囲む４つの側壁とによって構成されている。そして、当該収容凹部２１１ｒに、電子デバイス板２２１が嵌合されている。
【００６３】
また、図６に示すように、収容凹部２１１ｒの対応する側壁に隣接して、係止突起２２３のワイヤ固定部２２３ｆが上ケース２１１に固定されている。ワイヤ固定部２２３ｆから電子デバイス板２２１へは、、収容凹部２１１ｒの底面に形成された開口窓２１１ｗを介して、２本の導電ワイヤＡＷ、ＢＷが延びている。導電ワイヤＡＷは、撓み変形ワイヤ２２３ｍに導通しており、導電ワイヤＢＷは、撓み変形ワイヤ２２３ｍの撓み変形時に当該撓み変形ワイヤ２２３ｍと接触して導通するスイッチワイヤ２２１ｓに導通している。
【００６４】
下ケース２１２には、容器本体閉鎖時の状態における取出待機部２１５の係止突起２２３に対して反対の側に、上ケース２１１の開放動作の際に取出待機部２１５に位置する錠剤を取出口２１３に向けて押圧するためのプッシャ部材２２５が設けられている。説明を補足すれば、上ケース２１１の開放動作の際、取出待機部２１５に位置する錠剤は最初、係止突起２２３によって取出口２１３から遠ざかる方向に押圧されるが、その押圧力に対抗するように、すなわち、取出待機部２１５に位置する錠剤を取出口２１３に向けて押圧し返すために、プッシャ部材２２５が設けられている。
【００６５】
本実施の形態のプッシャ部材２２５は、直線壁状に形成されており、その一端側は下ケース２１２の側壁に固定され、その他端側が錠剤を押圧するようになっている。
【００６６】
また、本実施の形態では、下ケース２１２に、プッシャ部材２２５を迂回して取出待機部２１５まで錠剤を案内するための錠剤案内レール２２４が形成されている。本実施の形態の錠剤案内レール２２４は、プッシャ部材２２５から離れた側（プッシャ部材２２５を迂回させる機能を必要としない側）において屈曲してケースの幅方向に延びて、上ケース２１１の収容凹部２１１ｒに対するストッパとして機能するようになっている。また、本実施の形態の錠剤案内レール２２４は、プッシャ部材２２５の側において、高さが減じられた低壁部２２４ｅに連続しており、更に、断面略円弧状の錠剤案内レール２１２ｒに連続している。
【００６７】
また、本実施の形態では、プッシャ部材２２５自体も、取出待機部２１５まで錠剤を案内する案内レールとしての機能を有している。その他、下ケース２１２には、上ケース２１１側に立ち上がるリブ２２７が摺動方向に延びるように形成されている。
【００６８】
電気デバイス板２２１には、さらに、撓み変形ワイヤ２２３ｍとスイッチワイヤ２２１ｓとの導通の有無に基づいて錠剤の取り出し（通過）の有無を検出（判断）する回路と、当該検出結果を記録するためのデータ記録部と、が搭載されている。本実施の形態でも、第１の実施の形態と同様に、錠剤の取り出しの有無の検出結果を時間データと共に記録するタイムロガー３０が搭載されている。
【００６９】
次に、本実施の形態の錠剤取出管理容器２１０の作用について説明する。
【００７０】
第１の実施の形態と同様に、患者が錠剤取出管理容器２１０から１個ずつ錠剤を取り出すために、まず、下ケース２１２の取出口２１３が下側となるような姿勢で錠剤取出管理容器２１０が把持される。この際、錠剤案内レール２２４とプッシャ部材２２５による錠剤案内機能により、１個の錠剤が取出待機部２１５に至り、後続の１個の錠剤がそれに続く（図８（ａ）参照）。図８（ａ）乃至図８（ｃ）においては、理解の容易のため、それら２個の錠剤のみが図示されている。取出待機部２１５に至った錠剤は、係止突起２２３によって係止される（図８（ａ）参照）。
【００７１】
次に、上ケース２１１の開放動作が実施される。すなわち、上ケース２１１が下ケース２１２に対して少しスライド移動される（図８（ｂ）参照）。その際、取出待機部２１５に位置していた錠剤が、係止突起２２３のスライド移動部２２３ｓによって取出口２１３から遠ざかる方向に押圧される。しかし、その押圧力に対抗するように、すなわち、取出待機部２１５に位置する錠剤を取出口２１３に向けて押圧し返すために、プッシャ部材２２５が設けられている。このため、取出待機部２１５に位置していた錠剤は、しばらくは動かない。
【００７２】
代わりに、係止突起２２３のスライド移動部２２３ｓに当接している撓み変形ワイヤ２２３ｍの方がその変形性能によって撓んで、結果としてスライド移動部２２３ｓが取出待機部２１５に位置していた錠剤の側面を乗り越えようとする。そして、係止突起２２３のスライド移動部２２３ｓが取出待機部２１５に位置していた錠剤の取出口２１３側の端面から外れた瞬間、すなわち、当該錠剤の係止機能を解除した瞬間、プッシャ部材２２５による押圧力によって当該錠剤は取出口２１３に向けて飛び出すように移動する。一方、係止突起２２３のスライド移動部２２３ｓは、撓み変形ワイヤ２２３ｍの変形が元に戻ることによって、取出待機部２１５に位置していた錠剤に後続する錠剤の取出口側の面を係止する。この状態が図８（ｃ）の状態である。
【００７３】
その後、利用者は、上ケース２１１の下ケース２１２に対するスライド移動状態を、元に戻す。
【００７４】
これらの一連の錠剤取出操作の中で、撓み変形ワイヤ２２３ｍとスイッチワイヤ２２１ｓとの導通状態が変化する。すなわち、図８（ａ）の状態では導通していなかった撓み変形ワイヤ２２３ｍとスイッチワイヤ２２１ｓとが、図８（ｂ）の状態では互いに導通するようになる。
【００７５】
本実施の形態でも、電気デバイス板２２１に設けられたタイムロガー３０が、錠剤の取り出しの有無の検出結果を時間データと共に記録する。タイムロガー３０の電気的動作は、バッテリ３２から供給される電力で賄われる。このため、バッテリ３２は、充電可能ないし交換可能となっていることが好ましい。
【００７６】
以上の通り、本実施の形態によっても、第１の実施の形態と略同様の作用効果を得ることができる。すなわち、利用者は、（１）取出口２１３が下側となるような姿勢で錠剤取出管理容器２１０を把持して、（２）上ケース２１１をスライド移動させる、という動作を行うだけで、錠剤を正しく１個だけ取り出すことができる。特に、本実施の形態によっても、下ケース２１２の側面に取出口２１３が形成されているため、錠剤取出管理容器２１０の側面から錠剤を取り出すことができ、利用者の利便性という点で顕著に優れる。
【００７７】
また、本実施の形態によっても、上ケース２１１及び下ケース２１２が平面視で長方形の形状を有しており、上ケース２１１は下ケース２１２に対して当該長方形の形状の長手方向に摺動移動するようになっており、取出口２１３は当該長方形の形状の角部近傍に形成されているため、錠剤取出容器として一般的な形状であって、利用者の利便性という点で好適である。
【００７８】
更に、本実施の形態によっても、下ケース２１２にプッシャ部材２２５を迂回して取出待機部２１５まで錠剤を案内するための錠剤案内レール２２４が形成されているため、錠剤の容器本体内での円滑な案内が促される。このため、容器本体を振る等して錠剤の移動を調整する作業（手間）が軽減できる。
【００７９】
更に、本実施の形態によっても、プッシャ部材２２５自体が錠剤を案内する機能を併せ持っているため、錠剤の容器本体内での円滑な案内が更に促される。
【００８０】
また、本実施の形態によっても、下ケース２１２に上ケース２１１側に立ち上がるリブ２２７が摺動方向に延びるように形成されているため、上ケース２１１が過剰に撓んで変形してしまうことが効果的に防止される。このため、容器寿命を長くすることができる。
【００８１】
また、本実施の形態によっても、上ケース２１１から下ケース２１２側に凹むように形成された収容凹部２１１ｒが下ケース２１２の錠剤案内レール２２４に対してストッパとして機能するため、上ケース２１１が下ケース２１２から過度にスライドしてしまって内部の錠剤が散乱してしまう、という事態を防止できる。
【００８２】
また、以上の一連の錠剤取出操作において、患者の何らの操作も意図も必要とすることなく、自動的に、錠剤の取り出しの有無の検出結果を時間データと共に記録することができる。これにより、患者の錠剤の取出時間すなわち服用時間を自動的に把握することができる。
【００８３】
次に、図９は、本発明の第３の実施の形態の錠剤取出管理容器の構成を示す概略斜視図であり、図１０は、図９の錠剤取出管理容器の縦断面図である。図９及び図１０に示すように、本実施の形態の錠剤取出管理容器３１０では、リブ２７の代わりに、リブ２７とは配置形状の異なる略環状のリブ３２７が設けられていて、当該略環状のリブ３２７の近傍にＣＲ機構３３０が設けられている。
【００８４】
本実施の形態において、その他の構成については、図１乃至図５を用いて説明した第１の実施の形態と略同様である。図９及び図１０において、第１の実施の形態の構成と対応する構成については、同一の符号を付して、詳細な説明は省略する。
【００８５】
本実施の形態のＣＲ機構３３０は、上ケース１１に設けられて下ケース１２に向けて突出する爪部３３１と、下ケース１２に設けられて爪部３３１と係合するようになっている爪受部３３２と、爪部３３１に接続されていて、当該爪部３３１を爪受部３３２から遠ざけて両者の係合を解除するように変形可能な弾性部３３３ａ、３３３ｂと、当該弾性部３３３ａ、３３３ｂをそのように変形させるための押圧部３３４と、を有している。押圧部３３４は、爪部３３１と弾性部３３３ａ、３３３ｂとの間に位置しており、爪部３３１は、押圧部３３４及び弾性部３３３ａ、３３３ｂを介して上ケース１１に支持されている。
【００８６】
押圧部３３４が下ケース１２側に押されることによって、弾性部３３３ａ、３３３が変形して爪部３３１と爪受部３３２との係合が解除される一方、押圧部３３４への押圧力が解除されることによって、弾性部３３３ａ、３３３が元の形状に復帰して爪部３３１と爪受部３３２とが再び係合可能となる。
【００８７】
本実施の形態によれば、第１の実施の形態によって得られる作用効果に加えて、ＣＲ機構３３０によってもたらされるＣＲ機能を得ることができる。すなわち、弾性部３３３ａ、３３３ｂが変形していない通常状態においては十分なＣＲ機能を発揮することができる一方、押圧部３３４の押圧により弾性部３３３ａ、３３３ｂを変形させることで容易にＣＲ機能を解除することができる。
【００８８】
なお、本実施の形態では、上ケース１１に爪部３３１が設けられて、下ケース１２に爪受部３３２が設けられているが、逆であってもよい。すなわち、下ケース１２に爪部が設けられて、上ケース１１に爪受部が設けられてもよい。また、本実施の形態では、弾性部３３３ａ、３３３ｂが爪部３３１に接続されていて当該爪部３３１を爪受部３３２から遠ざけて両者の係合を解除するように変形可能となっているが、その代わりに、弾性部が爪受部に接続されていて当該爪受部を爪部から遠ざけて両者の係合を解除するように変形可能となっていてもよい。
【００８９】
また、弾性部３３３ａ、３３３ｂを変形させる構成についても、押圧部３３４に限定されない。例えば、操作者が引上力や回転力を与える「つまみ状」の突部を利用してもよい。
【符号の説明】
【００９０】
１０  錠剤取出容器
１１  上ケース
１１ｒ  収容凹部
１１ｗ  開口窓
１２  下ケース
１２ｒ  錠剤案内レール
１３  取出口
１５  取出待機部
２１  電子デバイス板
２３  係止突起
２３ｃ  筒部
２３ｍ  可動係止部
２３ｐ  押圧作動部
２３ｒ  凹部
２４  錠剤案内レール
２５  プッシャ部材
２７  リブ
２１０  錠剤取出容器
２１１  上ケース
２１１ｇ  案内レール
２１１ｒ  収容凹部
２１１ｗ  開口窓
２１２  下ケース
２１２ｒ  錠剤案内レール
２１３  取出口
２１５  取出待機部
２２１  電子デバイス板
２２１ｓ  スイッチワイヤ
２２３  係止突起
２２３ｆ  ワイヤ固定部
２２３ｓ  スライド移動部
２２３ｍ  撓み変形ワイヤ
２２４  錠剤案内レール
２２４ｅ  低壁部
２２５  プッシャ部材
２２７  リブ
３１０  錠剤取出容器
３２７  リブ
３３０  ＣＲ機構
３３１  爪部
３３２  爪受部
３３３ａ、３３３ｂ  弾性部
３３４  押圧部
【図１】
2013176196.tif 000003
【図２】
2013176196.tif 000004
【図３】
2013176196.tif 000005
【図４】
2013176196.tif 000006
【図５】
2013176196.tif 000007
【図６】
2013176196.tif 000008
【図７】
2013176196.tif 000009
【図８】
2013176196.tif 000010
【図９】
2013176196.tif 000011
【図１０】
2013176196.tif 000012
【国際調査報告】
2013176196.tif 000013
2013176196.tif 000014